(57)【要約】【解決手段】通信システム内のパラメーターの現在の組を更新するためのシステム及び方法が提供される。システムおよび方法は、第１のサービスエリア内の移動装置の現在の位置を決定し、移動装置の現在の位置に基づいて最適なパラメーターの組を決定し、最適なパラメーターの組を用いて移動装置内のパラメーターの現在の組を更新する。このシステムおよび方法は、位置に依存するシステムアクセス及びソフトハンドオフパラメーターを最適化するために使用することができる。
2005528812.tif 000002
【特許請求の範囲】
【請求項１】
下記を具備する無線通信システム：
第１のトランシーバー；
第２のトランシーバー；
前記第１のトランシーバーと通信する第３のトランシーバー；および
前記第３のトランシーバーの現在位置に基づいて決定される最適パラメーターの組を用いて、前記第１のトランシーバーから前記第２のトランシーバーにソフトハンドオフを達成するように構成されたコントローラー。
【請求項２】
前記コントローラーは、さらに、前記第３のトランシーバーの現在位置を決定するように構成された、請求項１のシステム。
【請求項３】
前記現在の位置は、セルサービスエリア内のセクターの位置を含む、請求項２記載のシステム。
【請求項４】
前記最適パラメーターの組は、最適システムアクセスパラメーターの組および最適ソフトハンドオフパラメーターの組を含む、請求項１のシステム。
【請求項５】
前記コントローラーは、さらに前記最適ソフトハンドオフパラメーターの組を決定するように構成された、請求項４のシステム。
【請求項６】
前記コントローラーは、さらに、前記最適システムアクセスパラメーターの組を決定するように構成された、請求項４のシステム。
【請求項７】
下記を具備する移動装置：
前記移動装置の現在位置に基づいて決定される最適システムアクセスパラメーターの組を受信するように構成された受信器装置；および
前記受信した最適システムアクセスパラメーターの組に基づいて前記移動装置を制御するように構成されたコントローラー。
【請求項８】
下記を具備する移動装置：
前記移動装置の現在位置に基づいて決定される最適ソフトハンドオフパラメーターの組を受信するように構成された受信器装置；および
前記受信した最適ソフトハンドオフパラメーターの組に基づいて第１の基地局から第２の基地局へのソフトハンドオフを達成するように構成されたコントローラー。
【請求項９】
前記コントローラーは、前記移動装置の現在位置を決定するようにさらに構成された、請求項８の移動装置。
【請求項１０】
前記現在の位置は、セルサービスエリアの位置を含む、請求項９の移動装置。
【請求項１１】
前記現在位置は、セルサービスエリア内のセクタの位置を含む、請求項９の移動装置。
【請求項１２】
前記受信器装置は、前記移動装置の前記現在位置に基づいて決定される最適システムアクセスパラメーターの組を受信するようにさらに構成された、請求項８の移動装置。
【請求項１３】
前記受信した最適システムアクセスパラメーターの組に基づいて前記移動装置の性能を制御する手段をさらに具備する、請求項１２の移動装置。
【請求項１４】
下記を具備する基地局：
移動装置の現在位置に基づいて決定される最適システムアクセスパラメーターの組を送信するように構成された送信器装置；および
前記最適システムアクセスパラメーターの組に基づいて前記移動装置を制御するように構成されたコントローラー。
【請求項１５】
下記を具備する基地局：
第１のサービスエリア内の移動装置の現在位置に基づいて決定される最適ソフトハンドオフパラメーターの組を前記移動装置に送信するように構成された送信器装置；および
前記最適なソフトハンドオフパラメーターの組に基づいて第１のサービスエリアから第２のサービスエリアへのソフトハンドオフを達成するように構成されたコントローラー。
【請求項１６】
前記コントローラーは、前記第１のサービスエリア内の前記移動装置の現在位置を決定するようにさらに構成される、請求項１５の基地局。
【請求項１７】
前記第１のサービスエリアは、セルサービスエリアを含む、請求項１５の基地局。
【請求項１８】
前記第１のサービスエリアは、セルサービスエリア内のセクターを含む、請求項１５の基地局。
【請求項１９】
前記コントローラーは、前記ソフトハンドオフの組を決定するようにさらに構成される、請求項１５の基地局。
【請求項２０】
前記送信器装置は、第１のサービスエリア内の前記移動装置の現在位置に基づいて決定される最適システムアクセスパラメーターの組を送信するようにさらに構成される、請求項１５の基地局。
【請求項２１】
前記コントローラーは、前記最適システムアクセスパラメーターの組に基づいて前記移動装置の性能を制御するようにさらに構成される、請求項２０の基地局。
【請求項２２】
前記コントローラーは、前記最適ソフトハンドオフの組および最適システムアクセスパラメーターの組を決定するようにさらに構成される、請求項２１の基地局。
【請求項２３】
下記を具備する、ソフトハンドオフを達成する方法：
第１のサービスエリア内の移動装置の現在位置を決定する；
前記移動装置の現在位置に基づいて、最適パラメーターの組を決定する；および
前記最適パラメーターの組を用いて、第１のサービスエリアから第２のサービスエリアへのソフトハンドオフを達成する。
【請求項２４】
前記最適なパラメーターの組を決定することは、最適システムアクセスパラメーターの組を決定することおよび最適ソフトハンドオフパラメーターの組を決定することを含む、請求項２３の方法。
【請求項２５】
下記を具備する、移動装置内の現在のパラメーターの組を更新する方法：
第１サービスエリア内の前記移動装置の現在位置を決定する；
前記移動装置の前記現在位置に基づいて最適なパラメーターの組を決定する；および
前記最適なパラメーターの組を用いて前記移動装置内の現在のパラメーターの組を更新する。
【請求項２６】
前記最適なパラメーターの組を決定することは、最適システムアクセスパラメーターの組および最適ソフトハンドオフパラメーターの組を決定することを含む、請求項２５の方法。
【請求項２７】
前記現在位置は、セルサービスエリア内のセクターを含む、請求項２５の方法。
【請求項２８】
下記を具備する、電気通信システム内の移動装置の移動度を制限する方法：
前記移動装置の現在位置を決定する；
前記移動装置の前記現在位置に基づいてパラメーターの組を決定する；および
前記移動装置の前記現在位置が、立ち入り禁止区域内にあるなら、前記移動装置が、前記パラメーターの組に基づいて実行するのを防止する。
【請求項２９】
前記パラメーターの組を決定することは、システムアクセスパラメーターの組およびハンドオフパラメーターの組を決定することを含む、請求項２８の方法。
【請求項３０】
前記移動装置が実行することを防止することは、前記移動装置が、ハンドオフを達成することを防止することを含む、請求項２９の方法。
【請求項３１】
前記移動装置が実行することを防止することは、前記移動装置が、システムアクセスするのを防止することを含む、請求項２９の方法。
【請求項３２】
下記を具備する、ソフトハンドオフを達成する方法を具現化するコンピューター読み出し可能媒体：
第１のサービスエリア内の移動装置の現在位置を決定する；
前記移動装置の現在位置に基づいて最適なパラメーターの組を決定する；および
前記最適なパラメーターの組を用いて前記第１のサービスエリアから第２のサービスエリアへのソフトハンドオフを達成する。
【請求項３３】
下記を具備する、移動装置内のパラメーターの組を更新する方法を具現化するコンピューーター読み出し可能媒体：
前記移動装置の現在位置を決定する；
前記移動装置の現在位置に基づいて最適なパラメーターの組を決定する；および
前記最適なパラメーターの組を用いて前記移動装置内の現在のパラメーターの組を更新する。
【請求項３４】
下記を具備する、電気通信システム内の移動装置の移動性を制限する方法を具現化するコンピュータ読み出し可能媒体：
前記移動装置の現在位置を決定する；
前記移動装置の前記現在位置に基づいてパラメーターの組を決定する；および
前記移動装置の前記現在位置が立ち入り禁止区域内にあるなら、前記移動装置が、前記パラメーターの組に基づいて実行するのを防止する。
【請求項３５】
下記を具備する、ソフトハンドオフを達成する装置：
第１サービスエリア内の移動装置の現在位置を決定する手段；
前記移動装置の前記現在の位置に基づいて、最適なパラメーターの組を決定する手段；および
前記最適なパラメーターの組を用いて、前記第１のサービスエリアから第２のサービスエリアへのソフトハンドオフを達成する手段。
【請求項３６】
下記を具備する、ソフトハンドオフを達成するための装置：
メモリ装置；および
前記メモリ装置と通信可能に接続されたデジタルシグナル処理（ＤＳＰ）装置、前記ＤＳＰは、
第１サービスエリア内の移動装置の現在位置を決定する；
前記移動装置の現在位置に基づいて最適なパラメーターの組を決定する；および
前記最適なパラメーターの組を用いて、第１サービスエリアから第２サービスエリアへのソフトハンドオフを達成する；
ことができる。
【請求項３７】
下記を具備する、移動装置において、パラメーターの組を更新する装置：
前記移動装置の現在位置を決定する手段；
前記移動装置の前記現在位置に基づいて最適なパラメーターの組を決定する手段；および
最適なパラメーターの組を用いて、前記移動装置内の現在のパラメーターの組を更新する手段。
【請求項３８】
下記を具備する、移動装置においてパラメーターの組を更新する装置：
メモリ装置；および
前記メモリ装置と通信可能に接続されるデジタルシグナル処理（ＤＳＰ）装置、前記ＤＳＰは、
前記移動装置の現在位置を決定する；
前記移動装置の前記現在位置に基づいて、最適なパラメーターの組を決定する；および
前記最適なパラメーターの組を用いて前記移動装置内の現在のパラメーターの組を更新する。
【請求項３９】
下記を具備する、電気通信システム内の移動装置の移動性を制限する装置：
前記移動装置の現在位置を決定する手段；
前記移動装置の前記現在位置に基づいてパラメーターの組を決定する手段；および
前記移動装置の前記現在位置が立ち入り禁止区域にあるなら、前記移動装置が、前記パラメーターの組に基づいて実行することを阻止する手段。
【請求項４０】
下記を具備する、電気通信システム内の移動装置の移動性を制限する装置：
メモリ装置；および
前記メモリ装置と通信可能に接続されるデジタルシグナル処理（ＤＳＰ）装置、前記ＤＳＰは、
前記移動装置の前記現在位置に基づいてパラメーターの組を決定する；および
前記移動装置の前記現在位置が立ち入り禁止区域内にあるなら、前記移動装置が前記パラメーターの組に基づいて実行することを阻止する手段。
【請求項４１】
下記を具備する、移動装置およびインテリジェントシステムを含む電気通信システム内のシステムパラメーターを最適化する方法：
前記インテリジェントシステムにより、地理的領域内の前記移動装置の性能を追跡する；および
前記移動装置が、前記地理的領域を再び横切るなら、前記移動装置の性能に基づいて、システムパラメーターを最適化する。
【請求項４２】
下記を具備する、移動装置およびインテリジェントシステムを含む電気通信システム内のシステムパラメーターを最適化する方法を具現化するコンピューター読み出し可能媒体：
前記インテリジェントシステムにより、地理的領域内の前記移動装置の性能を追跡する；および
前記移動装置が、前記地理的領域を再び横切るなら、前記移動装置の性能に基づいて、システムパラメーターを最適化する。
【請求項４３】
下記を具備する、電気通信システム内のシステムパラメーターを最適化する装置：
前記インテリジェントシステムにより、地理的領域内の前記移動装置の性能を追跡する手段；および
前記移動装置が、前記地理的領域を再び横切るなら、前記移動装置の性能に基づいて、システムパラメーターを最適化する手段。
【請求項４４】
下記を具備する、電気通信システム内のシステムパラメーターを最適化する装置：
メモリ装置；
前記メモリ装置と通信可能に接続されたインテリジェントシステム、前記インテリジェントシステムは、地理的領域内の移動装置の性能を追跡することができる；および
前記メモリ装置と通信可能に接続されたデジタルシグナル処理（ＤＳＰ）装置、前記ＤＳＰは、前記移動装置が、前記地理的領域を再び横切るなら、前記移動装置の性能に基づいて前記システムパラメーターを最適化することができる。
【発明の詳細な説明】
【技術分野】
【０００１】
この発明は、一般に通信システムに関し、特に電気通信システム内のソフトハンドオフパラメーターとシステムアクセスパラメーターを最適化する方法に関する。
【背景技術】
【０００２】
セルラー電気通信システムは、１つ以上の基地局と通信する複数の移動装置（例えば、携帯電話）により特徴づけられる。移動通信装置により送信された信号は、基地局により受信され、しばしば、携帯電話システム向け交換機（ＭＳＣ）に中継される。次に、ＭＳＣはその信号を公衆交換電話網（ＰＳＴＮ）または他の移動装置に送る。同様に、信号は、基地局およびＭＳＣを介してＰＳＴＮから移動装置に送信してもよい。
【０００３】
各基地局は、移動装置が通信できる「セル」をカバーする。セルは制限された地理的領域をカバーする。この領域において、移動装置からの呼は、ＭＳＣを介して電気通信ネットワークにおよび電気通信ネットワークから送られる。一般的なセルラー電気通信システムのサービスエリアは、いくつかのセルに分割することができる。さらに、各セルはいくつかのセクタに分割することができる。通信システムリソースを最大にするために、異なる通信リソースがしばしば各セルまたは各セクタに割当てられる。移動装置が第１のセルから第２のセルに、または第１のセクタから第２のセクタに移動すると、第２のセルまたはセクタに関連する新しいシステムリソースを割当てるためにハンドオフが実行されなければならない。
【０００４】
ハンドオフは、移動装置と、１つ以上の管理する基地局および／またはＭＳＣとの間で一連のネゴシエーションを実行することを包含する。ハンドオフは、より多くのシステムリソースを犠牲にしてシステムの性能を改良する。増大する通信システム容量に対する要望を満足させるために、より小さなセルおよび／またはセクタが配置されるので、効率的でタイムリーなハンドオフ手続きがますます重要になってきている。より小さなセル及び／またはセクタの使用は、境界交差およびリソース割当ての数を増大させ、それにより、順応性のある、効率的な、高速の、かつ費用効率が高いハンドオフ手続きの必要性が増大する。
【０００５】
ハンドオフは、ハードハンドオフまたはソフトハンドオフに分類することができる。ハードハンドオフ手続きは、異なる周波数割り当てを有し、第三世代無線システム（３Ｇ）のように異なる無線構成を有し、異なるフレームオフセットを有する隣接するセルまたはセクタ間で、または符号分割多重アクセス（ＣＤＭＡ）およびアナログ（ＡＭＰＳ）との間のハンドオフのようなシステム間でも、継続中の呼を転送するために使用される。ハードハンドオフにおいて、第１のセルを有する第１のリンクが遮断され、第２のリンクが確立される。ソフトハンドオフにおいて、第１のリンクは、第２のリンクが確立されるまで維持される。従って、第１のリンクと第２のリンクが同時に維持される時間がある。どちらの場合も、第１のリンクの中断と第２のリンクの確立との間の大きな遅延によって、受け入れ難い通信サービスの品質を生じる。
【０００６】
アクセスハンドオフは３Ｇシステムのもう一つの特徴である。無線周波数（ＲＦ）チャネルの力学における迅速な変化により、トラヒックチャネルが割当てられるとき、制御（ページング）チャネルはソフトハンドオフ状態にないかもしれず、そして、移動局がページを受信するとき、移動局は最良のセルを監視できないかもしれない。従って、システムアクセス状態で動作している間電話の性能は、脆弱である。移動局がシステムアクセス状態にある間、システムの性能を強化するために、いくつかの技術が提案されてきた。これらの技術は、アクセスエントリーハンドオフ、ソフトハンドオフへのチャネル割当て、アクセスハンドオフ、およびアクセスプローブハンドオフを含む。
【０００７】
ハンドオフを処理する際に、移動装置は、空中を介してを送信され、移動装置により記憶されたかもしれない種々の静的ハンドオフパラメーターを使用する。静的ハンドオフパラメーターを使用する際の１つの問題は、移動装置は、地形、形態学、セルサイトおよび／またはセクタの呼量、および他の土地の特徴に関係無く、すべての地理的領域に対して同じ静的パラメーター使用しなければならないということである。従って、静的ハンドオフパラメーターに基づくハンドオフは種々の地理的位置に適合することが出来ず、より多くのシステムリソースを消費する可能性があり、質が悪い通信サービス性能を生じる可能性がある。
【０００８】
それゆえ、位置情報に基づいた最適化されたパラメーターを有したセルラー電気通信システムにおいて、システムアクセスおよびソフトハンドオフを容易にする、順応性のある、高速の、効率的なかつ費用効率が高い方法およびシステムの必要性がある。
【発明の開示】
【課題を解決するための手段】
【０００９】
この発明の一つの観点によれば、無線通信システムは、第１のトランシーバー、第２のトランシーバー、および第１のトランシーバーと通信することのできる第３のトランシーバーを含む。システムは、第３トランシーバーの現在の位置に基づいて決定することが出来る一連の最適なシステムパラメーターおよびソフトハンドオフパラメーターを用いて、第１のトランシーバーから第２のトランシーバーにソフトハンドオフを達成することができる。
【００１０】
この発明の他の観点によれば、移動装置は、移動装置の性能を制御するために、移動装置の現在の位置に基づいて決定することができる一連の最適なシステムアクセスパラメーターを受信するハードウエアおよびソフトウエア手段を含むことができる。性能を制御することは、最適なシステムアクセスパラメーターの一部として受信することができる一連の最適なソフトハンドオフパラメーターを用いて第１の基地局から第２の基地局へのソフトハンドオフを達成することを含めることができる。
【００１１】
この発明の他の観点によれば、基地局は、移動装置の性能を制御するため、第１のサービスエリア内の移動装置の現在の位置に基づいて決定することができる一連の最適なシステムアクセスパラメーターを送信するハードウエアおよびソフトウエア手段を含むことができる。性能を制御することは、イニシャルオープンループ電力、持続性遅延、電力インクリメント、ランダム化遅延、バックオフ(back off)時間、およびアクノレッジタイムアウトを達成することを含む。これらのパラメーターはシステムをアクセスするために移動局により使用することができ、共通のまたは専用のシグナリングチャネル上にアクセスパラメーターメッセージの一部として送信することができる。この発明の他の観点によれば、通信システム内の現在の組を更新する方法は、第１のサービスエリア内の移動装置の現在の位置を決定し、移動装置の現在の位置に基づいて最適なパラメーターの組を決定し、および、最適なパラメーターの組を用いて現在のパラメーターの組を更新することを含むことができる。この方法は、システムアクセスおよび／またはソフトハンドオフに含めることができる位置に依存するパラメーターを最適化することに適用することができる。
【００１２】
この発明の他の観点によれば、所定の地理的領域をちょうど横切る移動局の最近の性能に基づいて通信システム内のシステムパラメーターの現在の組を動的に更新する方法およびシステムが提供される。例えば、インテリジェントシステムは、せんだって、同じルートを横切った移動局が、システム性能の主要な劣化を伴わずに回避することができたであろう不必要なハンドオフを経験したと推定することができる。インテリジェントシステムはまた、同じ近傍にある移動局がオープンループ計算に基づいて、より高いかつ不必要な送信電力でシステムをアクセスしたことを推定することができ、それゆえ検討中の移動装置は、システムをアクセスするための少ない初期電力を使用することができる。
【００１３】
この発明の他の観点によれば、方法とシステムは、電気通信システム内の移動装置の移動性を制限する。この方法は、第１のサービスエリア内の移動装置の現在位置を決定し、移動装置の現在位置に基づいてパラメーターの組を決定し、現在位置が立ち入り禁止区域内にあれば、前記パラメーターの組に基づいて移動装置が通信アクセスを実行または確立することを防止することを含む。
【発明を実施するための最良の形態】
【００１４】
用語「例示」はここでは、実施例、事例、例証として役にたつことをもっぱら意味するために使用される。「例示」としてここに記載されたいかなる実施例も他の実施の形態に対して好適であるまたは利点があるとして必ずしも解釈されない。
【００１５】
基地局は、１つ以上のＢＳＣを介してデータパケットを送信および受信してもよく、複数の移動装置間でデータパケットを移送してもよい。基地局はさらに、企業イントラネットまたはインターネットのような基地局外のさらなるネットワークに接続され、各移動装置とそのような外部のネットワークとの間でデータを移送してもよい。１つ以上の基地局とアクティブトラヒックチャネル接続を確立した移動装置は、アクティブ移動装置と呼ばれ、トラヒック状態にあると言われる。１つ以上の基地局とアクティブトラヒックチャネル接続を確立するプロセスにある移動装置は、接続セットアップ状態にあると言われる。移動装置は、無線チャネルまたは、有線チャネル、例えば光ファイバーまたは同軸ケーブルを介して通信するいかなるデータ装置であってもよい。移動装置はさらに、これに限定されないが、ＰＣカード、コンパクトフラッシュ、外部または内部モデム、または無線または有線電話を含む多数のタイプの装置であってよい。移動装置が信号を基地局に送る通信リンクは逆方向リンクと呼ばれる。基地局が信号を移動装置に送信する通信リンクは順方向リンクと呼ばれる。
【００１６】
この発明は、特定のアプリケーションに対して説明するための実施例を参照してここに記載するけれども、この発明はそれらに限定されないことが理解されなければならない。技術的に通常の技量を有し、ここに提供される開示にアクセスする人達は、この発明の範囲内でさらなる変形、応用、および実施形態、およびこの発明が顕著な実用性の発明であるさらなる分野を認識するであろう。
【００１７】
図１は、例示ＣＤＭＡセルラー電話システム１０のブロック図である。システム１０は基地局コントローラ（ＢＳＣ）１４を有する携帯電話システム向け交換機（ＭＳＣ）１２を含む。公衆交換電話網（ＰＳＴＮ）１６は、電話線および他のネットワーク（図示せず）からの呼をＭＳＣ１２におよびＭＳＣ１２から送る。ＭＳＣ１２は、ＰＳＴＮ１６からの呼を、それぞれ第１のセル２２および第２のセル２４に関連するソース基地局１８および目標基地局２０におよびから送る。さらに、ＭＳＣ１２は、基地局１８および２０間で呼を送る。ＳＢＳ１８は呼を第１の通信リンク２８を介して第１のセル２２内の移動装置２６に方向づける。通信リンク２８は、順方向リンク３０および逆方向リンク３２を有する双方向リンクであってよい。基地局１８が移動装置２６と音声通信を確立すると、リンク２８は、トラヒックチャネルとして特徴づけられる。各基地局１８および２０は１つのセルのみに関連するけれども、各々はいくつかのセルまたはセクターを支配または関連していてもよい。
【００１８】
移動装置２６が第１のセル２２から第２のセル２４に移動すると、移動装置２６は、目標基地局２０にハンドオフしてもよい。ハンドオフは、第１のセル２２が第２のセル２４と重なる重なり領域３６において生じることができる。
【００１９】
ソフトハンドオフにおいて、移動装置２６は、ソース基地局１８との第１の通信リンク２８に加えて、目標基地局２０との第２の通信リンクを確立する。移動装置２６が第２のセル２４を横切った後、移動装置２６は、第１の通信リンク２８を中断することができる。
【００２０】
ハードハンドオフにおいて、移動装置２６が第１のセル２２から第２のセル２４に移動すると、ソース基地局１８へのリンク２８は切り離され、目標基地局２０との新しいリンクが形成される。
【００２１】
この発明の一実施形態によれば、以下の３つのハンドオフ手続きを含むいくつかのタイプのハンドオフ手続きに適合することができる。
【００２２】
移動局が古い基地局との通信を遮断することなく、新しい基地局との通信を開始するソフトハンドオフ。ソフトハンドオフは、同一周波数割り当てを有するＣＤＭＡチャネル間でのみ使用することができる。ソフトハンドオフは、基地局間の境界上に順方向トラヒックチャネル経路および逆方向トラヒックチャネル経路のダイバーシティを供給することができる。ソフトハンドオフはまた、移動局がアクセス状態にある間システムの性能を高めるためにアクセスプロセス期間中に使用することができる。
【００２３】
移動局が、基地局のばらばらになった組間、異なる帯域分類間、異なる周波数割り当て間、または異なるフレームオフセット間で遷移する、ＣＤＭＡ間のハードハンドオフ。
【００２４】
移動局がＣＤＭＡトラヒックチャネルからアナログトラヒックチャネルに方向づけられる、ＣＤＭＡとアナログのハンドオフ。
【００２５】
図２は、この発明の一実施形態に従って、ハンドオフを容易にするシステム４０のブロック図である。この特定の実施形態において、システム４０は、ＢＳＣ１４、基地局１８および移動装置２６を含めてもよいＣＤＭＡ電気通信システムに使用するように構成してもよい。ＢＳＣ１４は、位置データベース５０およびＣＤＭＡ相互接続サブシステム５４と通信するセレクタバンクシステム（ＳＢＳ）４８を含めてもよい。ＢＳＣ１４はさらに、ＳＢＳ４８と通信するＢＳＣ位置検出システム４６を含めてもよい。基地局１８は、基地局トランシーバー５８と通信する基地局位置検出システム５６を含めてもよい。移動装置２６は、移動装置トランシーバー６２と通信する移動装置位置検出システム６０を含めてもよい。
【００２６】
この特定の実施形態において、基地局位置検出システム５６、移動装置位置検出システム６０、および／またはＢＳＣ位置検出システム４６は、全地球測位システム（ＧＰＳ）機器および関連するコンピュータソフトウエアおよび移動装置２６の位置情報を決定するインターフェース装置を含んでいても良い。
【００２７】
当業者は、この発明の範囲から逸脱することなくこの発明の目的のために、ＧＰＳ位置決め技術に加えてまたはその代わりに、他の位置検出技術を用いても良いことを理解するであろう。
【００２８】
一実施形態において、移動装置２６の位置が、基地局位置検出システム５６および／または移動装置位置検出システム６０を介して決定された後、位置情報は、インターフェースリンク６６を介して、ＢＳＣ１４に中継される。位置情報は、ＣＤＭＡ相互接続サブシステム５４により受信されＳＢＳ４８に送ってもよい。ＳＢＳ４８は、移動装置２６の位置を監視するためにソフトウエアルーチンを実行してもよい。
【００２９】
位置データベース５０は電気通信システムサービスエリア並びに最適ハンドオフおよび各領域に関連するシステムアクセスパラメーターの位置情報を記憶してもよい。移動装置が新しい領域２６に入ると、ＳＢＳ４８は、関連する最適システムアクセスパラメーターおよびハンドオフパラメーターを移動装置２６に送信する。
【００３０】
さらに、移動装置２６の現在の位置情報を、位置データーベース５０内のあらかじめ記憶された位置情報と比較するためにＳＢＳ４８上で実行されているソフトウエアルーチンは、容易に、当業者により容易に作成することができ、使用することができる。
【００３１】
ＳＢＳ４８上で実行されているソフトウエアルーチンは、新しいシステムアクセスパラメーターおよびハンドオフパラメーターが要求されたとき、例えば、受信した位置情報を位置データベース５０にあらかじめ記憶された位置情報と比較することにより、移動装置２６の位置を監視し、決定することができる。
【００３２】
ＢＳＣ１４はまた呼詳細アクセス５５、ホームロケーションレジスター５３、および基地局マネージャー５２も含むことができる。これらは、ＣＤＭＡ相互接続サブシステム５４に接続することができる。呼詳細アクセス５５は、各移動装置ユーザーに対する請求書の控えを維持することを容易にすることができる。ホームロケーションレジスタ５３は各ユーザーについての情報およびユーザーがどのような契約をしているかについての情報を維持することができる。基地局マネージャー５２は、ＢＳＣ１４の全体の動作を監視することができる。当業者、これらのエレメントは、システム４０から除去することができ、あるいは、この発明の範囲から逸脱することなく他の等価回路と交換することができることを理解するであろう。
【００３３】
基地局位置検出システム５６、移動装置位置検出システム６０、またはＢＳＣ位置検出システム４６が、移動装置２６の現在位置を検出すると、関連するシステムアクセスパラメーターおよびハンドオフパラメーターがシグナリング手続きの一部として遠隔装置に送信される。
【００３４】
図３は、この発明の種々の観点を実施するための基地局１８と移動装置２６の実施形態の簡単化されたブロック図である。特定の通信の場合、音声データ、パケットデータ、および／またはメッセージを、空中インターフェース６４を介して、基地局１８と移動装置２６との間で交換可能である。基地局と移動装置との間の通信セッションを確立するためのメッセージおよびデータ送信を制御するためのメッセージ、例えば、電力制御、データ転送速度情報、およびアクノレッジメントのような種々のタイプのメッセージを送信することができる。
【００３５】
逆方向リンクの場合、移動装置２６において、例えばデータソース２１０からの音声および／またはパケットデータ、および例えばコントローラー２３０からのメッセージは、送信器（ＴＸ）データプロセッサ２１２に供給することができる。プロセッサ２１２は、１つ以上の符号化スキームを用いてデータおよびメッセージをフォーマット化し、符号化することができ、符号化されたデータを発生する。符号化スキームは、巡回冗長検査（ＣＲＣ）符号化技術、畳み込み符号化技術、ターボ符号化技術、ブロック符号化技術およびその他の符号化技術をのいずれかの組合せを含むことができる。音声、データ、パケット、および／またはメッセージは、異なるスキームを用いて符号化することができ、および異なるタイプのメッセージをそれぞれに符号化することができる。
【００３６】
次に、符号化されたデータは変調器（ＭＯＤ）２１４に供給され、さらに、処理、例えば、カバーされ、短いＰＮ系列で拡散され、移動装置に割当てられた長いＰＮ系列でスクランブルをかける。次に、変調されたデータは、送信器装置（ＴＭＴＲ）２１６に供給され、条件づけ、例えば、１つ以上のアナログ信号に変換され、増幅され、濾波され、直交変調され、逆方向リンク信号が発生される。逆方向リンク信号は、デュプレクサ（Ｄ）２１８を介して送ることができ、アンテナ２２０を介して基地局１８に送信される。
【００３７】
基地局１８において、逆方向リンク信号は、アンテナ２５０により受信され、デュプレクサ（Ｄ）２５２を介して送られ、受信器装置（ＲＣＶＲ）２５４に供給される。ＲＣＶＲユニット２５４は、サンプルを供給するために受信した信号を条件付け、例えば、濾波し、増幅し、ダウンコンバートし、およびデジタル化する。復調器（ＤＥＭＯＤ）２５６は、サンプルを受信し、処理、例えば、逆拡散し、デカバーし、およびパイロット復調し、再生された記号を供給する。復調器２５６は、受信した信号の複数の例を処理し、結合された記号を発生するレーキ受信器を実施することができる。次に、受信器（ＲＸ）データプロセッサ２５８は、記号を復号し、逆方向リンク上に送信されるデータ及びメッセージを再生する。再生された音声および／またはパケットデータはデータシンク２６０に供給することができ、再生されたメッセージは、コントローラー２７０に供給することができる。ＤＥＭＯＤ２５６およびＲＸデータプロセッサ２５８による処理は、移動装置２６において実行される処理と相補的である。ＤＥＭＯＤ２５６およびＲＸデータプロセッサ２５８はさらに、複数のチャネル、例えば、逆方向基本チャネル（Ｒ−ＦＣＨ）および逆方向補足チャネル（Ｒ−ＳＣＨ）を介して受信した複数の送信を処理するように動作可能である。また、送信は、複数の移動装置から同時に行なうことができ、移動装置の各々は、Ｒ−ＦＣＨ、Ｒ−ＳＣＨまたはその両方上に送信することができる。
【００３８】
順方向リンクに関しては、基地局１８において、例えば、データソース２６２からの音声および／またはパケットデータ、およびコントローラー２７０からのメッセージは、送信器（ＴＸ）データプロセッサ２６４によりフォーマット化され、符号化され、変調器（ＭＯＤ）２６６によりカバーされ、拡散され、送信器装置（ＴＭＴＲ）２６８によりアナログ信号に変換され、増幅され、濾波され、および直交変調され、順方向リンク信号が発生される。順方向リンク信号は、デュプレクサ（Ｄ）２５２を介して送られ、アンテナ２５０を介して移動装置２６に送信される。
【００３９】
移動装置２６にいて、順方向リンク信号は、アンテナ２２０により受信され、デュプレクサ２１８を介して送られ、ＲＣＶＲ２２２に供給される。ＲＣＶＲ装置２２２は、サンプルを供給するために、受信した信号を条件づけ、例えば、ダウンコンバートし、濾波し、増幅し、直交変調し、およびデジタル化する。サンプルは、記号を供給するために、処理、例えば、逆拡散され、デカバーされ、および復調器２２４により復調される。そして、記号はさらに、処理、例えば、受信器（ＲＸ）データプロセッサ２２６により復号され、チェックされ、順方方向リンク上に送信されるデータおよびメッセージを再生する。再生されたデータは、データシンク２２８に供給され、再生されたメッセージは、コントローラー２３０に供給することができる。
【００４０】
アクティブパイロットセットは、移動装置２６が現在または潜在的に復調しているパイロット信号のセットである。移動装置２６により使用されるアクティブパイロットセットが第２セル（図１）に対応するパイロットオフセットを含むなら、移動装置２６がソフトハンドオフ領域３６に入ると、ＳＢＳ４８は、移動装置２６の追跡を開始することができ、ソフトハンドオフを開始する。ＢＳＣ１４は、ハンドオフを完了するための命令を新しいサービスエリアに供給することができ、これは、ソフトハンドオフ領域３６にある移動装置２６に応答してＳＢＳ４８により開始することができる。
【００４１】
図４は、この発明の一実施形態に従って、パイロットチャネルＡからパイロットチャネルＢにソフトハンドオフを達成するための例示呼処理スキームを示す。
【００４２】
移動装置は、隣接するセル内のパイロットチャネルの強度を測定することができる。パイロットエネルギーハデシベルの単位で供給することができる。パイロットという用語は、パイロットシーケンスオフセットにより識別されるパイロットチャネル、ウオルシュまたは準直交関数、および周波数割り当てに言及する。パイロットは、同じ順方向ＣＤＭＡチャネル内の順方向トラヒックチャネルに関連する。アクティブパイロットセットに関連するすべてのパイロットは、同じＣＤＭＡ周波数割り当てを有する。移動装置は、現在のＣＤＭＡ周波数割り当て上のパイロットを探索し、ＣＤＭＡチャネルの存在を検出し、それらのエネルギー強度を測定する。移動装置が、移動装置に割当てられた順方向トラヒックチャネルのいずれにも関連しない十分な強度のパイロットを検出すると、移動装置は、パイロット強度測定メッセージ（ＰＳＭＭ）または拡張パイロット強度測定メッセージ（ＥＰＳＭＭ）を基地局に送信する。次に、基地局は、そのパイロットに関連する順方向トラヒックチャネルを移動装置に割当て、移動装置にハンドオフを実行するように指示する。パイロット探索プロセスのためのパラメーターおよびＰＳＭＭまたはＥＰＳＭＭ送信のための規則は以下のパイロットの組によって表すことができる。
【００４３】
移動装置に割当てられた順方向トラヒックチャネルに関連するパイロットの組を含むアクティブセット
現在アクティブセットに無いパイロットの組を含むが、関連する順方向トラヒックチャネルが成功裏に復調できることを示すために十分な強度を有して、移動装置により受信された候補セット
現在アクティブセットまたは候補セットに無いが、ハンドオフの候補の可能性があるパイロットの組を含む隣接セット
隣接セット、候補セット、およびアクティブセット内のパイロットを除く、現在のＣＤＭＡ周波数割り当ての状態で、現在のシステム内のすべての可能なパイロットの組を含む残りのセット
基地局は、上述のパイロットセットを探索するために以下のパラメーターを供給することができる。
【００４４】
アクティブセットおよび候補セットのための探索窓サイズ「ＳＲＣＨ＿ＷＩＮ＿Ａ］基地局はこのパラメーターフィールドを、移動局がアクティブセットおよび候補セット内のパイロットを探索することになっているＰＮチップの数に対応する窓サイズパラメーターに設定することができる。
【００４５】
隣接セットのための探索窓サイズ「ＳＲＣＨ＿ＷＩＮ＿Ｎ］基地局はこのパラメーターフィールドを、移動局が隣接セット内のパイロットを探索することになっているＰＮチップの数に対応する窓サイズパラメーターに設定することができる。
【００４６】
残りのセットのための探索窓サイズ「ＳＲＣＨ＿ＷＩＮ＿Ｒ］基地局はこのパラメーターフィールドを、移動局が残りのセット内のパイロットを探索することになっているＰＮチップの数に対応する窓サイズパラメーターに設定することができる。
【００４７】
移動装置２６は、ＰＳＭＭまたはＥＰＳＭＭを、移動装置２６と通信している基地局に送信することができる。そのようなメッセージは、Ｔ−ＡＤＤより大きなエネルギーを有するすべてのパイロットを含むことができ、および主要なパイロットエネルギー値が所定の期間Ｔ−ＴＤＲＯＰ以上の期間、Ｔ−ＤＲＯＰ以下に下がらなかった現在のアクティブパイロットセットのすべてのメンバーを含む。
【００４８】
基地局は、新しいアクティブセットを決定するためにＰＳＭＭまたはＥＰＳＭＭ内のパイロット強度測定を使用することができる。基地局はまたＰＳＭＭまたはＥＰＳＭＭ内のＰＮ位相測定値を使用して移動装置に対する伝搬遅延を推定することができる。この推定値は、逆方向チャネル取得時間を低減するために使用することができる。
【００４９】
例示実施形態において、移動装置は、以下の３つの条件下でパイロットの強度の変化の検出に続いて、ＰＳＭＭまたはＥＰＳＭＭ発生し、送信することができる。
【００５０】
１．隣接セットまたは残りのセットのパイロットの強度が閾値Ｔ＿ＡＤＤを越えて発見される。
【００５１】
２．候補セットのパイロットの強度が、閾値Ｔ＿ＣＯＭＰ以上、アクティブセットのパイロットの強度を超える。
【００５２】
３．アクティブセット内のパイロットの強度が所定の期間Ｔ＿ＴＤＲＯＰ以上、閾値Ｔ＿ＤＲＯＰを下回る。
【００５３】
パラメーターＴ＿ＡＤＤ、パイロット検出閾値は移動装置により使用され、パイロットを、隣接セットまたは残りのセットから候補セットへの転送を引き起こし、そして、ハンドオフプロセスを開始するためにＰＳＭＭまたはＥＰＳＭＭの送信を引き起こす。
【００５４】
パラメーターＴ＿ＤＲＯＰ、パイロットドロップ閾値は移動装置により使用され、アクティブセットおよび候補セット内のパイロットのためのハンドオフドロップタイマーを開始することができる。
【００５５】
パラメーターＴ＿ＣＯＭＰ、候補セット対アクティブセットの比較の閾値は、移動装置により使用され、候補セット内のパイロットがこのマージンだけアクティブセット内のパイロットの強度を超えるとき、ＰＳＭＭまたはＥＰＳＭＭを送信することができる。
【００５６】
パラメーターＴ＿ＴＤＲＯＰ、ドロップタイマー値は、タイマー値であり、この後に、アクティブセットまたは候補セットのメンバーであるパイロットに対して移動装置により行動が取られ、パイロットの強度はＴ＿ＤＲＯＰより大きくならない。パイロットが候補セットのメンバーならば、パイロットは隣接セットに移動することができる。
【００５７】
例示実施形態において、ＰＳＭＭまたはＥＰＳＭＭにおいて識別される基地局はそれらのパイロットＰＮ系列オフセット、それらの対応する測定されたパイロットエネルギーおよび／またはパイロットが維持されるべきかどうかの表示により識別可能である。
【００５８】
この発明の他の実施形態において、移動局は、パイロット信号を監視することができ、上述した組、すなわち、アクティブセット、候補セット、および隣接セットの各々のメンバーを集計することができ、以下の線形関係に従って、現在のアクティブセットに対する変化が望ましいかどうかを決定することができる。
【００５９】
Ｙ１＝ＳＯＦＴ＿ＳＬＯＰＥ＊ＣＯＭＢＩＮＥＤ＿ＰＩＬＯＴ＋ＡＤＤ＿ＩＮＴＥＲＣＥＰＴ    （１）
Ｙ２＝ＳＯＦＴ＿ＳＬＯＰＥ＊ＣＯＭＢＩＮＥＤ＿ＰＩＬＯＴ＋ＤＲＯＰ＿ＩＮＴＥＲＣＥＰＴ    （２）
図５は、関係式（１）および（２）のグラフ表示を示す。動的閾値Ｙ１およびＹ２は、デジベルで表しても良い結合されたパイロットエネルギー（すなわち、Ｅｃ／Ｉｏ）の関数としてプロットすることができる。図に示すように、Ｙ１およびＹ２の両方は、ＳＯＦＴ＿ＳＬＯＰＥの勾配と、ＡＤＤ＿ＩＮＴＥＲＣＥＰＴおよびＤＲＯＰ＿ＩＮＴＥＲＣＥＰＴのそれぞれのｙ−切片を有した線形関数である。
【００６０】
Ｙ１は動的閾値であり、この閾値より上では、候補セットのパイロットの測定されたエネルギーは、移動装置が修正されたアクティブセットにそのエネルギーを加えることを要求することができる前に増大しなければならない、そしてＹ２は動的閾値であり、これより下のでは、アクティブセットのパイロットのエネルギーは、移動装置が、アクティブセットから候補セットにエネルギーを移動することを要求することができる前に、減少しなければならない。
【００６１】
パラメーターＳＯＦＴ＿ＳＬＯＰＥは、パイロットをアクティブセットに加えるための不等基準における勾配である。パラメーターＡＤＤ＿ＩＮＴＥＲＣＥＰＴおよびＤＲＯＰ＿ＩＮＴＥＲＣＥＰＴは、それぞれ、アクティブセットにパイロットを加えるまたはアクティブセットからパイロットを落とすための不等基準内のｙ切片である。
【００６２】
関係式（１）および（２）から、特定のアクティブセットパイロットのエネルギーがＹ２を下回ると、パイロットは、候補セットに移動することができることがわかる。同じパイロットを修正されたアクティブセットに加え戻すために、２つの事柄の１つが生じ得る：ＣＯＭＢＩＮＥＤ＿ＰＩＬＯＴの値がある量Δ１だけ減少するまたはパイロットの固有の測定されたエネルギーがある量Δ２だけ増大する。従って、Δ１およびΔ２は、それぞれＣＯＭＢＩＮＥＤ＿ＰＩＬＯＴのヒステリシス値および個々のパイロットエネルギーであり、これらは、所定のパイロットがアクティブセットに反復的に入ったり出たりするのを防止するために必要かもしれないことがわかる。
【００６３】
従って、パイロットは、ＣＯＭＢＩＮＥＤ＿ＰＩＬＯＴ値がＸ１以下のとき、修正されたアクティブセットに加えられ、ＣＯＭＢＩＮＥＤ＿ＰＩＬＯＴがＸ２以上のとき、アクティブセットから落とされる。
【００６４】
関係式（１）および（２）から以下のように示すことができる。
【００６５】
ＳＯＦＴ＿ＳＬＯＰＥ＝Δ２／Δ１；                                    （３）
ＤＲＯＰ＿ＩＮＴＥＲＣＥＰＴ＝Ｔ＿ＤＲＯＰ−Ｘ２＊Δ２／Δ１；および  （４）
ＡＤＤ＿ＩＮＴＥＲＣＥＰＴ＝ＤＲＯＰ＿ＩＮＴＥＲＣＥＰＴ＋Δ２        （５）
基地局は、共通制御チャネルまたは専用制御チャネル上のメッセージを移動装置に送信し、アクセスプロセス、パイロットサーチ、移動装置の性能、および／またはソフトハンドオフ手続きを支配することができる。
【００６６】
図４に図解するように、移動装置と通信している基地局は、拡張ハンドオフ指示メッセージ、一般ハンドオフ指示メッセージおよびユニバーサルハンドオフ指示メッセージを送信することにより移動装置から受信したＰＳＭＭまたはＥＰＳＭＭに応答することができる。
【００６７】
他の実施形態によれば、基地局は、拡張ハンドオフ指示メッセージ、一般ハンドオフ指示メッセージ、またはユニバーサルハンドオフ指示メッセージを介してパラメーターＳＲＣＨ＿ＷＩＮ＿Ａ、Ｔ＿ＡＤＤ、Ｔ＿ＤＲＯＰ、Ｔ＿ＣＯＭＰおよびＴ＿ＴＤＲＯＰの値を変更可能である。さらに、基地局は、一般ハンドオフ指示メッセージまたはユニバーサルハンドオフ指示メッセージを介して、パラメーターＳＲＣＨ＿ＷＩＮ＿Ｎ、ＳＲＣＨ＿ＷＩＮ＿Ｒ、ＳＯＦＴ＿ＳＬＯＰＥ、ＡＤＤ＿ＩＮＴＥＲＣＥＰＴおよびＤＲＯＰ＿ＩＮＴＥＲＣＥＰＴの値も変更可能である。
【００６８】
この発明の一実施形態によれば、ソフトハンドオフパラメーターは移動装置２６の位置についての位置情報に基づいて最適化することができる。移動装置２６が新しいセクターまたはセルに入ると、ロケーションサーバーまたはエンティティは、経度および緯度を含む、移動装置の位置の地理的特徴を決定し、そのような位置情報をＢＳＣ１４（図２）に送る。ＳＢＳ４８（図２）は、移動装置２６の位置情報を用いて、位置データベース５０（図２）から最適なシステムアクセスとハンドオフパラメーターの組を見つける。この発明の一実施形態によれば、位置データベース５０は、ハンドオフパラメーターを、セルまたはセクター内の移動装置５０の位置についての位置情報に関連付けるルックアップテーブルを含むことができる。以下に記載するように、基地局１８は、移動装置がトラヒックチャネルを管理しているとき移動装置２６に最適なハンドオフパラメーターの組を送ることができる。
【００６９】
図６は、例示ソフトハンドオフパラメーター最適化プロセスのフローチャートを示し、そして、図６は、この発明の一実施形態に従う、例示アクセスパラメーター最適化プロセスのフローチャートを示す。
【００７０】
移動装置がトラヒックチャネル上にあるとき、すなわち、双方向通話のとき、ステップ６０２において決定されるように、移動装置の現在のセクターサービスエリアの位置情報がステップ６０４において決定される。現在のセクターサービスエリアの位置情報に対応するハンドオフパラメーターの最適な組は、ステップ６０６において、例えば位置データベースから得ることができる。次に、ステップ６０８において、最適パラメーターは移動装置に送られる。基地局は、イントラヒック(in-traffic)システムパラメーターメッセージ内のパラメーターを送ることによりトラヒックチャネル上で動作している移動装置内のシステムアクセスおよびハンドオフパラメーターを修正することができる。このパラメーター最適化技術は、移動装置内のシステムアクセスおよびハンドオフパラメーターをマイクロレベルで更新するために、セクターレベルで適用することができ、ハンドオフ手続きを、移動装置の地理的特徴に、より敏感にさせる。従って、ハンドオフは、最適なハンドオフパラメーターに基づいてより容易にすることができ、これは、高トラヒック領域内のハンドオフの期間中および／または高いビルを移動または高いビルの回りを激しく回動するとき、呼のドロップアウトおよび貧弱なサービス性能を有利に防止する。
【００７１】
この発明の一実施形態において、移動装置の移動度は、セルまたはセクターを含む所定のサービスエリアに制限することができる。移動装置の位置情報が、移動装置が制限区域に入ったことを示すとき、基地局コントローラーは、移動装置にそのアクセスを失わさせ、立ち入り禁止区域内で通信リンクを実行または確立できないようにさせるパラメーターの組を送信することができる。
【００７２】
一実施形態において、ここに開示した方法およびシステムは、システムアクセスの現在の組を動的に更新し、および／またはソフトハンドオフパラメーターは所定の地理的領域を移動した移動局の最近の性能に基づく。例えば、インテリジェントシステムは、移動局が移動しようとしている同じルートを移動した移動局が不必要なハンドオフを完了したことを推定することができ、これは、システムの性能に主要な劣化を伴うことなく、回避することができた可能性がある。インテリジェントシステムはまた、同じ地理的領域において、移動局がオープンループ計算に基づいてより高いかつ不必要な送信電力でシステムにアクセスしたことを推定することができ、それゆえ、考慮中の移動装置はシステムをアクセスするためにより少ない電力を使用することができる。インテリジェントシステムは技術的によく知られている。
【００７３】
当業者は、いろいろな異なるテクノロジーおよび技術のいずれかを用いて表すことができることを理解するであろう。例えば、上述した記述全体を通して参照されるかもしれないデータ、命令、コマンド、情報、信号、ビット、記号、およびチップは、電圧、電流、電磁波、磁界、磁性粒子、光学界、または光学粒子またはそれらの組合せにより表すことができる。当業者はさらに、ここに開示した実施の形態に関連して記載した種々の実例となる論理ブロック、モジュール、回路、およびアルゴリズムステップは、電子ハードウエア、コンピュータソフトウエアまたは両方の組合せで実施できることを理解するであろう。このハードウエアとソフトウエアの互換性を明瞭に説明するために、種々の実例となる部品、ブロック、モジュール、回路、およびステップが一般にそれらの機能性の観点から上に記載された。そのような機能性がハードウエアまたはソフトウエアとして実現されるかは特定のアプリケーションおよび全体のシステムに課せられた設計制約に依存する。熟達した職人は、各特定のアプリケーションに対して記載した機能性を変形した方法で実施することができるが、そのような実施の判断は、この発明の範囲を逸脱するものとして解釈されるべきでない。
【００７４】
ここに開示された実施の形態に関連して記載された種々の実例となる論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理装置、ディスクリートゲートまたはトランジスタロジック、ディスクリートハードウエアコンポーネント、またはここに記載した機能を実行するように設計されたいずれかの組合せを用いて実施または実行することができる。汎用プロセッサは、マイクロプロセッサであってよいが、別の方法では、プロセッサは、いずれかの一般的なプロセッサ、コントローラ、マイクロコントローラ、またはステートマシンであってよい。プロセッサはまた、計算装置の組合せとしても実施できる。例えば、ＤＳＰとマイクロプロセッサの組合せ、複数のマイクロプロセッサ、ＤＳＰコアと協力した１つ以上のマイクロプロセッサまたはいずれかの他のそのような構成として実施することもできる。
【００７５】
ここに開示された実施の形態に関連して記載された方法またはアルゴリズムのステップは、ハードウエアにおいて、プロセッサにより実行されるソフトウエアモジュールにおいて、または両者の組合せにおいて直接具現化することができる。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、脱着可能ディスク、ＣＤ−ＲＯＭ、または技術的に知られているその他のいずれかの形態の記憶媒体に存在することができる。例示記憶媒体は、プロセッサに接続される。そのようなプロセッサは記憶媒体から情報を読み出し、記憶媒体に情報を書き込むことができる。別の方法では、記憶媒体は、プロセッサに集積可能である。プロセッサと記憶媒体はＡＳＩＣに存在してもよい。ＡＳＩＣはユーザ端末に存在してもよい。別の方法では、プロセッサと記憶媒体はユーザ端末内のディスクリートコンポーネントとして存在してもよい。
【００７６】
好適実施の形態の上述の記載は当業者がこの発明を製作または使用することを可能にするために提供される。これらの実施の形態に対する種々の変更は当業者には容易に明白であろう、そしてここに定義される包括的原理は発明力の使用なしに他の実施の形態に適用可能である。従って、この発明は、ここに示した実施の形態に限定されることを意図したものではなく、ここに開示した原理と新規な特徴に一致する最も広い範囲が許容されるべきである。
【図面の簡単な説明】
【００７７】
【図１】図１は、例示ＣＤＭＡセルラー電話システムのブロック図である。
【図２】図２は、この発明の一実施の形態に従って、ハンドオフを容易にするためのシステムの簡単化されたブロック図である。
【図３】図３は基地局と移動局の一実施の形態の簡単化されたブロック図である。
【図４】図４は、ソフトハンドオフを実行するためのサービスネゴシエーション手続きを図解する図である。
【図５】図５は、ソフトハンドオフパラメーターの組を示す図である。
【図６】図６は、この発明に従って、ソフトハンドオフパラメーター最適化プロセスを示すフローチャートである。
【図７】図７は、この発明に従うアクセスパラメーター最適化プロセスを示すフローチャートである。
【図１】
2005528812.tif 000003
【図２】
2005528812.tif 000004
【図３】
2005528812.tif 000005
【図４】
2005528812.tif 000006
【図５】
2005528812.tif 000007
【図６】
2005528812.tif 000008
【図７】
2005528812.tif 000009
【国際調査報告】
2005528812.tif 000010
2005528812.tif 000011
2005528812.tif 000012
2005528812.tif 000013
2005528812.tif 000014